(57)【要約】      （修正有）【課題】階層毎に個別の背景画像データを用意する必要がなく、且つ現在表示されている画面の階層を直感的に把握可能な情報処理装置を提供する。【解決手段】情報処理装置１は記憶部１１及び表示制御部１００を含む。記憶部１１は、少なくとも一つの選択項目を有する上位アイコン画像と、下位アイコン画像と、上位アイコン画像または下位アイコン画像のそれぞれとともに上位階層画面または下位階層画面を構成する背景画像を構成する一の背景画像データとを記憶し、表示制御部１００は、上位階層画面から下位階層画面に切り替える場合には、背景画像データに基き、上位階層画面を構成する背景画像の一部を拡大した画像を生成し下位アイコン画像の背景画像として表示させ、下位階層画面から上位階層画面に切り替える場合には、背景画像データに基き、下位階層画面を構成する背景画像を縮小した画像を含む画像を生成し上位アイコン画像の背景画像として表示させる。【選択図】図１
2016031695.tif 000002
【特許請求の範囲】
【請求項１】
表示部に表示された選択項目を利用者が選択することにより所定の動作を実行する情報処理装置において、
少なくとも一つの前記選択項目を有する上位アイコン画像と、当該上位アイコン画像の選択項目に対応する下位アイコン画像と、前記上位アイコン画像または前記下位アイコン画像のそれぞれとともに上位階層画面または下位階層画面を構成する背景画像を構成するための一の背景画像データとを記憶する記憶部と、
前記選択項目の選択により、前記上位階層画面から前記下位階層画面に切り替える場合には、前記背景画像データに基づいて、前記上位階層画面を構成する背景画像の一部を拡大した画像を生成し、前記下位アイコン画像の背景画像として表示させ、前記下位階層画面から前記上位階層画面に切り替える場合には、前記背景画像データに基づいて、前記下位階層画面を構成する背景画像を縮小した画像を含む画像を生成し、前記上位アイコン画像の背景画像として表示させる表示制御部と、
を有することを特徴とする情報処理装置。
【請求項２】
請求項１記載の情報処理装置であって、
前記表示制御部は、前記上位階層画面から前記下位階層画面に切り替える場合には、前記背景画像データに基づいて、選択された前記選択項目近傍の領域に対応する背景画像を拡大した画像を生成し、前記下位階層画面の背景画像として表示させることを特徴とする情報処理装置。
【請求項３】
請求項１または２記載の情報処理装置であって、
前記選択項目は、文字領域と非文字領域とを含み、
前記表示制御部は、前記表示部に表示された前記選択項目において、前記非文字領域の透過度が前記文字領域よりも高くなるよう調整することを特徴とする情報処理装置。
【請求項４】
請求項１〜３のいずれか一つに記載の情報処理装置であって、
前記表示制御部は、
前記上位階層画面及び前記下位階層画面の切り替え履歴を記憶し、
前記切り替え履歴に基づいて現在表示されている第１の画面からその前に表示されていた第２の画面への切り替えを可能とし、
前記第１の画面に対し、切り替え後の前記第２の画面が前記下位階層画面に相当する場合には、前記背景画像データに基づいて、前記上位階層画面を構成する背景画像の一部を拡大した画像を生成し、前記下位アイコン画像の背景画像として表示させ、切り替え後の前記第２の画面が前記上位階層画面に相当する場合には、前記背景画像データに基づいて、前記下位階層画面を構成する背景画像を縮小した画像を含む画像を生成し、前記上位アイコン画像の背景画像として表示させることを特徴とする情報処理装置。
【発明の詳細な説明】
【技術分野】
【０００１】
本発明は情報処理装置に関する。
【０００２】
カーナビゲーションシステムや機器操作用の入力装置（たとえば、カラオケ装置を操作するためのリモコン）等の情報処理装置がある。情報処理装置は、利用者が所望する情報（目的地や楽曲）を検索するために用いられる。
【０００３】
情報の検索は、情報処理装置の表示部に表示されるメニュー画面で行う。メニュー画面は、アイコン等で表示される様々なメニュー（選択項目）を含む画面である。情報処理装置においては、複数のメニュー画面が階層的に構築されている。
【０００４】
たとえば、利用者が第１のメニュー画面において所望のメニューを選択した場合、情報処理装置は、第１のメニュー画面の下位階層に当たる第２のメニュー画面を表示する。更に、利用者が第２のメニュー画面において所望のメニューを選択した場合、情報処理装置は、第２のメニュー画面の下位階層に当たる第３のメニュー画面を表示する。このようなメニューの選択と画面の切り替えを繰り返すことにより、利用者は所望の情報を検索することができる。
【０００５】
ところで、メニュー画面におけるメニューは、文字情報として提供される。よって、情報処理装置の操作に不慣れな利用者が検索を行う場合、文字情報を見ただけでは現在どの階層のメニュー画面が表示されているのか理解し難い。その結果、利用者の誤操作を招くという問題がある。
【０００６】
このような誤操作を防止するために、たとえば、特許文献１及び特許文献２に記載の技術がある。
【０００７】
特許文献１に記載のメニュー表示装置は、上位メニューの各選択項目に対応させた複数のグラフィック画像データを記憶する。上位メニューと当該上位メニューの中で指定状態にある１つの選択項目に対応する下位メニューとを表示する場合、メニュー表示装置は、記憶した複数のグラフィック画像データにおける１つの選択項目に対応するグラフィック画像データに基づいてグラフィック画像イメージを同時に表示する。これにより、上位メニューによって現在どのような下位メニュー項目が選択可能状態にあるのかを視覚的に把握できる。
【０００８】
また、特許文献２に記載の情報処理装置は、複数種類のアイコンをメニューとして表示し、操作に対応して決定されたアイコンに対応する下位階層画面を表示するとともに、この下位階層画面の背景映像として、決定されたアイコンのマークを表示する。これにより、下位階層画面で操作を行っているユーザに対し、現在行っている操作が上位階層画面におけるどの機能に属するのかを容易に認識させることができる。
【先行技術文献】
【特許文献】
【０００９】
【特許文献１】特開平９−１９８２２１号公報
【特許文献２】特開２００２−１７５１４０号公報
【発明の概要】
【発明が解決しようとする課題】
【００１０】
しかし、特許文献１の技術では、表示される画面に関連した背景画像データを階層毎に個別に用意する必要がある。また、特許文献２の技術では、下位階層画面の背景画像として、決定されたアイコンのマークを用いるため、アイコンの数に応じて複数の画像を用意する必要がある（すなわち、特許文献２の技術は、下位階層画面の背景画像として、上位階層画面の背景画像を利用するものではない）。
【００１１】
また、特許文献１及び特許文献２に記載の技術では、上位メニュー（上位階層画面）と下位メニュー（下位階層画面）で背景画像が切り替わった場合、現在展開されているメニュー（階層画面）を直感的に把握することが困難である。
【００１２】
本発明の目的は、階層毎に個別の背景画像データを用意する必要がなく、且つ現在表示されている画面の階層を直感的に把握可能な情報処理装置を提供することにある。
【課題を解決するための手段】
【００１３】
上記課題を解決するために、請求項１に係る情報処理装置は、表示部に表示された選択項目を利用者が選択することにより所定の動作を実行する。情報処理装置は、記憶部と、表示制御部とを含む。記憶部は、少なくとも一つの前記選択項目を有する上位アイコン画像と、当該上位アイコン画像の選択項目に対応する下位アイコン画像と、前記上位アイコン画像または前記下位アイコン画像のそれぞれとともに上位階層画面または下位階層画面を構成する背景画像を構成するための一の背景画像データとを記憶する。表示制御部は、前記選択項目の選択により、前記上位階層画面から前記下位階層画面に切り替える場合には、前記背景画像データに基づいて、前記上位階層画面を構成する背景画像の一部を拡大した画像を生成し、前記下位アイコン画像の背景画像として表示させ、前記下位階層画面から前記上位階層画面に切り替える場合には、前記背景画像データに基づいて、前記下位階層画面を構成する背景画像を縮小した画像を含む画像を生成し、前記上位アイコン画像の背景画像として表示させる。
【００１４】
このような情報処理装置によれば、階層毎に個別の背景画像データを用意する必要がなく、且つ現在表示されている画面の階層を直感的に把握できる。
【００１５】
また、上記課題を解決するために、請求項２に係る情報処理装置は、請求項１記載の情報処理装置であって、表示制御部は、前記上位階層画面から前記下位階層画面に切り替える場合には、前記背景画像データに基づいて、選択された前記選択項目近傍の領域に対応する背景画像を拡大した画像を生成し、前記下位階層画面の背景画像として表示させる。
【００１６】
この場合、選択された選択項目近傍の背景画像が拡大表示されるため、利用者は画面の切り替えを把握し易くなる。
【００１７】
また、上記課題を解決するために、請求項３に係る情報処理装置は、請求項１または２記載の情報処理装置であって、前記選択項目は、文字領域と非文字領域とを含む。前記表示制御部は、前記表示部に表示された前記選択項目において、前記非文字領域の透過度が前記文字領域よりも高くなるよう調整する。
【００１８】
この場合、利用者は非文字領域に表示されている背景画像を視認することができる。よって、利用者は現在表示されている画面の階層をより直感的に把握できる。
【００１９】
また、上記課題を解決するために、請求項４に係る情報処理装置は、請求項１〜３のいずれか一つに記載の情報処理装置であって、前記表示制御部は、前記上位階層画面及び前記下位階層画面の切り替え履歴を記憶する。前記表示制御部は、前記切り替え履歴に基づいて現在表示されている第１の画面からその前に表示されていた第２の画面への切り替えを可能とする。前記表示制御部は、前記第１の画面に対し、切り替え後の前記第２の画面が前記下位階層画面に相当する場合には、前記背景画像データに基づいて、前記上位階層画面を構成する背景画像の一部を拡大した画像を生成し、前記下位アイコン画像の背景画像として表示させ、切り替え後の前記第２の画面が前記上位階層画面に相当する場合には、前記背景画像データに基づいて、前記下位階層画面を構成する背景画像を縮小した画像を含む画像を生成し、前記上位アイコン画像の背景画像として表示させる。
【００２０】
このような情報処理装置によれば、切り替え履歴に応じて階層画面を切り替える場合であっても、階層毎に個別の背景画像データを用意する必要がなく、且つ現在表示されている画面の階層を直感的に把握できる。
【発明の効果】
【００２１】
本発明によれば、階層毎に個別の背景画像データを用意する必要がなく、且つ現在表示されている画面の階層を直感的に把握できる。
【図面の簡単な説明】
【００２２】
【図１】実施形態に係る情報処理装置のシステム構成を示す図である。
【図２Ａ】実施形態に係る階層画面の一例を示す図である。
【図２Ｂ】実施形態に係る階層画面の一例を示す図である。
【図２Ｃ】実施形態に係る階層画面の一例を示す図である。
【図３】変形例１に係る階層画面の一例を示す図である。
【図４】変形例２に係る階層画面の一例を示す図である。
【図５】変形例３に係る階層画面の切り替えを示す図である。
【発明を実施するための形態】
【００２３】
＝＝情報処理装置の概要＝＝
図１は、本実施形態に係る情報処理装置１のシステム構成例を示す図である。情報処理装置１は、カーナビゲーションシステムや機器操作用の入力装置である。以下、情報処理装置１としてカラオケ装置用のリモコンを例に説明する。なお、「画像」と「画像データ」は一対一に対応するため、これらを同一視する場合がある。
【００２４】
本実施形態に係る情報処理装置１は、制御部１０、記憶部１１、操作部１２、表示部１３、通信部１４を含む。各構成はインターフェース（図示なし）を介してバスＢに接続されている。
【００２５】
制御部１０は、ＣＰＵ１０ａおよびメモリ１０ｂを備える。ＣＰＵ１０ａは、メモリ１０ｂに記憶された動作プログラムを実行することにより各種の制御機能を実現する。メモリ１０ｂは、ＣＰＵ１０ａにより実行されるプログラムを記憶したり、プログラムの実行時に各種情報を一時的に記憶したりする記憶装置である。
【００２６】
たとえば、ＣＰＵ１０ａがメモリ１０ｂに記憶されている所定の動作プログラムを読み出して実行することにより、制御部１０は、表示制御部１００として機能する。表示制御部１００は、操作部１２からの指示入力に基づき、選択項目を有する階層画面（詳細は後述する）を表示部１３に表示させる。また、表示制御部１００は、階層画面の切り替え、及び切り替えに伴うアイコン画像、及び背景画像の画像処理を行う（詳細は後述する）。
【００２７】
記憶部１１は、各種のデータを記憶するハードディスクドライブ、フラッシュメモリ等の記憶装置である。本実施形態における記憶部１１は、複数のアイコン画像と、一の背景画像データとを記憶している。
【００２８】
階層画面は、少なくとも一つの選択項目を有するアイコン画像と、背景画像（詳細は後述する）から構成される。複数のアイコン画像は、互いに関連付けられて階層的に構築されている。あるアイコン画像に対して上位階層に位置するアイコン画像を「上位アイコン画像」といい、下位階層に位置するアイコン画像を「下位アイコン画像」という。また、４つの選択項目を有するアイコン画像から構成される階層画面αには４つの選択項目が表示される。この場合、階層画面αに表示されている各選択項目に対応する階層画面は階層画面αに対する「下位階層画面」に相当する。また、これら下位階層画面に対して、階層画面αは「上位階層画面」に相当する。
【００２９】
選択項目を有するアイコン画像は、表示部１３に表示され、情報処理装置１に所定の動作を行わせるための指示入力を受け付ける。選択項目は、たとえば、「歌手名」、「曲名」等の選択項目の内容を文字情報で示したアイコンとして表示される。選択項目は、一のアイコン画像に少なくとも一つ設けられている。選択項目を選択することにより、情報処理装置１は所定の動作を実行する。所定の動作は、カラオケ装置（図示無し）の起動、階層画面の切り替え、歌手や曲の決定等である。
【００３０】
背景画像データは、階層画面におけるアイコン画像の背景画像を構成するための画像データである。本実施形態において、複数のアイコン画像に対して共通の背景画像データが一つ設けられている。また、背景画像は、階層画面全体の背景として表示される。よって、階層画面において、選択項目を有するアイコン画像は背景画像に重畳して表示される。たとえば、図２Ａ〜図２Ｃに示すように、背景画像に選択項目が重畳される。なお、図２Ａ〜図２Ｃにおいては、選択項目で隠れている背景画像を破線で示しているが、実際の画面上において破線部分は視認できない。
【００３１】
操作部１２は、情報処理装置１に対する指示入力を行うためのものである。操作部１２は、たとえば、装置本体に設けられたスイッチや、表示部１３に表示される階層画面である。表示部１３に表示される階層画面を介して指示入力を行う場合、利用者は指により直接的に入力を行ってもよいし、タッチペン等を介して間接的に入力を行ってもよい。
【００３２】
表示部１３は、各種画面や各種情報を表示する。たとえば、選択項目を有するアイコン画像は、背景画像に重畳され、階層画面として表示部１３に表示される。
【００３３】
通信部１４は、外部装置との通信を行うためのインターフェースである。本実施形態における情報処理装置１（カラオケ装置用リモコン）は、通信部１４を介し、利用者に選択された楽曲のＩＤをカラオケ装置（図示なし）に送信する。カラオケ装置（図示なし）は、送信された楽曲のＩＤに応じた曲を読み出して放音する。
【００３４】
＝＝情報処理装置による階層画面の切り替え＝＝
図２Ａ〜図２Ｃを参照して、階層画面の切り替えに伴う情報処理装置１の動作を説明する。図２Ａ〜図２Ｃは、表示部１３に表示される階層画面を示した図である。図２Ａの階層画面は、図２Ｂ及び図２Ｃの階層画面の上位階層画面に相当する（図２Ｂ及び図２Ｃの階層画面は、図２Ａの階層画面の下位階層画面に相当する）。図２Ｂの階層画面は、図２Ｃの階層画面の上位階層画面に相当する（図２Ｃの階層画面は、図２Ｂの階層画面の下位階層画面に相当する）。
【００３５】
また、この例における記憶部１１は、背景画像を構成するための一の背景画像データとして太陽系の惑星群を示す画像データを有している。図２Ａでは、背景画像として、当該画像データに基づく太陽系の惑星群が表示されている。図２Ｂでは、背景画像として、当該画像データにおける地球Ｅに対応する領域が拡大表示されている。図２Ｃでは、背景画像として、当該画像データの地球Ｅにおける日本ＪＰに対応する領域が拡大表示されている。
【００３６】
階層画面の切り替えを行う場合、制御部１０は、表示制御部１００として機能する（図１参照）。表示制御部１００は、選択項目の選択により、上位階層画面から下位階層画面に切り替える場合には、背景画像データに基づいて、上位階層画面を構成する背景画像の一部を拡大した画像を生成し、選択項目に対応する下位アイコン画像の背景画像として表示させる。また、表示制御部１００は、選択項目の選択により、下位階層画面から上位階層画面に切り替える場合には、背景画像データに基づいて、下位階層画面を構成する背景画像を縮小した画像を含む画像を生成し、選択項目に対応する上位アイコン画像の背景画像として表示させる。
【００３７】
具体的には、まず表示制御部１００は最上位の階層画面として、階層画面ＴＰ１を表示部１３に表示させる（図２Ａ参照）。階層画面ＴＰ１は、選択項目のアイコンＦ１〜アイコンＦ５を有するアイコン画像が太陽系の惑星群の背景画像に重畳されて表示されている。
【００３８】
ここで、利用者はアイコンＦ１を選択したとする（図２Ａにおいてハッチングで示す）。この場合、表示制御部１００は、選択されたアイコンＦ１に対応する下位の階層画面ＴＰ２を構成する所定のアイコン画像を記憶部１１から読み出す。また、表示制御部１００は、記憶部１１に記憶された背景画像データに基づいて、階層画面ＴＰ１に表示されている背景画像の一部を拡大した地球Ｅの画像を生成する。このような画像の生成は、背景画像データに対し、特定の対象を画面内で次第に大きく表示する、所謂、ズームインを実行することに等しい。階層の切り替えによる画像の拡大倍率（縮小倍率）は、背景画像データの画素数や表示部１３の表示画面のサイズ等に基づいて、予め決定しておく。また、画像を拡大する際に、どの領域を拡大するかについても予め決定しておく。本実施形態では、地球Ｅを中心に拡大、縮小を行うように決定されている。
【００３９】
表示制御部１００は、拡大した画像を読み出したアイコン画像の背景画像とする階層画面ＴＰ２を表示部１３に表示させる（図２Ｂ参照）。階層画面ＴＰ２には、選択項目のアイコンＦ６〜Ｆ９、及び「戻る」のアイコンＢ１を有するアイコン画像が地球Ｅの背景画像に重畳されて表示されている。
【００４０】
なお、本実施形態のように上位の階層画面ＴＰ１に複数の選択項目としてアイコンＦ１〜アイコンＦ５がある場合、当該選択項目それぞれを選択することにより表示される下位階層画面それぞれの背景画像は同じ画になることが望ましい。たとえば、アイコンＦ１〜アイコンＦ５のいずれを選択した場合であっても、表示される階層画面の背景画像は同じ画となる。すなわち、選択項目が異なる場合でも、利用者は、切り替わった階層を直感的に把握することができる。
【００４１】
次に、利用者は、階層画面ＴＰ２において、アイコンＦ８を選択したとする（図２Ｂにおいてハッチングで示す）。この場合、表示制御部１００は、選択されたアイコンＦ８に対応する下位の階層画面ＴＰ３を構成する所定のアイコン画像を記憶部１１から読み出す。また、表示制御部１００は、記憶部１１に記憶された背景画像データに基づいて、階層画面ＴＰ２に表示されている背景画像（地球Ｅの画像）の一部を拡大した日本ＪＰの画像を生成する。
【００４２】
表示制御部１００は、拡大した画像を読み出したアイコン画像の背景画像とする階層画面ＴＰ３を表示部１３に表示させる（図２Ｃ参照）。階層画面ＴＰ３には、選択項目としてアイコンＦ１０〜Ｆ１２、及び「戻る」のアイコンＢ２を有するアイコン画像が日本ＪＰの背景画像に重畳されて表示されている。
【００４３】
逆に、下位階層画面から上位階層画面に切り替える例について述べる。たとえば、情報処理装置１は、階層画面ＴＰ３に表示される「戻る」のアイコンＢ２を操作することで上位の階層画面である階層画面ＴＰ２に戻ることができる。
【００４４】
この場合、表示制御部１００は、選択されたアイコンＢ２に対応する上位の階層画面ＴＰ２を構成する所定のアイコン画像を記憶部１１から読み出す。また、表示制御部１００は、記憶部１１に記憶された背景画像データに基づいて、階層画面ＴＰ３に表示されている背景画像（日本ＪＰの画像）を縮小した画像を含む地球Ｅの画像を生成する。このような画像の生成は、背景画像データに対し、特定の対象を画面内で次第に小さくすることで全体を表示させる、所謂、ズームアウトを実行することに等しい。表示制御部１００は、当該画像を、読み出したアイコン画像の背景画像とする階層画面ＴＰ２を表示部１３に表示させる（図２Ｂ参照）。
【００４５】
このように、本実施形態における情報処理装置１によれば、複数の階層画面に共通の一の背景画像データを用いて各画面の背景画像を構成するため、階層毎に個別の背景画像データを用意する必要がない。また、一の背景画像が階層によって切り替わるため、利用者は、現在表示されている画面の階層を直感的に把握できる。
【００４６】
＝＝変形例１＝＝
実施形態では背景画像を拡大する場合に予め決定された領域を中心として拡大される例について述べたが拡大処理はこれに限られない。
【００４７】
たとえば、表示制御部１００は、上位階層画面から下位階層画面に切り替える場合には、背景画像データに基づいて、選択された選択項目近傍の領域に対応する背景画像を拡大した画像を生成し、下位階層画面の背景画像として表示させる。
【００４８】
具体的には、図２Ａの階層画面ＴＰ１において、アイコンＦ３が選択されたとする。この場合、表示制御部１００は、アイコンＦ３の背景を含むその近傍の領域に対応する背景画像（木星Ｊ及び土星Ｓ）を拡大した画像を生成する。そして、表示制御部１００は、当該画像を下位の階層画面ＴＰ２´の背景画像として表示させる（図３参照）。なお、階層画面ＴＰ２´には、選択項目としてのアイコンｆ１〜ｆ４、及び「戻る」のアイコンＢ１が表示されている。
【００４９】
このように、選択されたアイコンの近傍（アイコンの背景を含む）を拡大させることにより、利用者が選択した位置からズームインされたような視覚的な印象を与えることができ、画面の切り替えを把握しやすくなる。
【００５０】
＝＝変形例２＝＝
たとえば、カラオケ装置用のリモコンにおいて、歌手名や曲名を検索するなど、階層画面において表示される選択項目が多くなる場合、背景画像が見難くなる。一方、選択項目は、歌手名や曲名など、その内容が判別できればよい。そこで、表示制御部１００は、表示部１３に表示された選択項目において、非文字領域の透過度が文字領域よりも高くなるよう調整する。
【００５１】
図４を参照して具体例について説明する。図４は、階層画面ＴＰ３´を示す図である。表示制御部１００は、階層画面ＴＰ３´におけるアイコンＦ１０´〜アイコンＦ１２´において、非文字領域Ｗ２の透過度が文字領域Ｗ１よりも高くなるよう調整する。その結果、非文字領域Ｗ２の裏側に位置する背景画像を視認しやすくなる。よって、利用者は現在表示されている画面の階層をより直感的に把握できる。なお、選択項目が複数ある場合には、そのうちの一つだけの透過度を調整することでもよいし、それぞれの選択項目によって透過度を変えてもよい。
【００５２】
＝＝変形例３＝＝
階層画面の切り替えに関し、実施形態では階層の順に沿って階層画面を切り替える例について述べたが、階層画面の切り替えはこれに限られない。図５は、階層画面ｔ１から階層画面ｔ５までの５つの階層画面の間での切り替えを示した図である。なお、図５の各階層画面では背景画像の記載を省略している。
【００５３】
たとえば、カラオケ装置用のリモコンを例に説明する。この場合、最上位の階層画面ｔ１には、曲名検索用のアイコンＦＭと歌手名検索用のアイコンＦＳが表示される。そして、歌手名検索用のアイコンＦＳを選択した場合には（ハッチングで示す）、階層画面ｔ１の下位階層画面に相当する階層画面ｔ２が表示される。
【００５４】
階層画面ｔ２には、歌手名検索用の５０音のアイコンＦＡ及び「戻る」のアイコンＢ３が表示される。この画面において、文字「あ」を選択した場合（ハッチングで示す）、階層画面ｔ２の下位階層画面に相当する階層画面ｔ３が表示される。
【００５５】
階層画面ｔ３には、「あ」で始まる歌手名を表すアイコンＦｓ１〜Ｆｓ４及び「戻る」のアイコンＢ４が表示される。この画面において、歌手名「ＡＡＡ」を表すアイコンＦｓ１を選択した場合（ハッチングで示す）、階層画面ｔ３の下位階層画面に相当する階層画面ｔ４が表示される。
【００５６】
階層画面ｔ４には、歌手「ＡＡＡ」の歌う曲名を表すアイコンＦｍ１〜Ｆｍ４及び「戻る」のアイコンＢ５が表示される。この画面において、曲名「ＸＸＸ」のアイコンＦｍ１を選択した場合（ハッチングで示す）、階層画面ｔ４の下位階層画面に相当する階層画面ｔ５が表示される。
【００５７】
階層画面ｔ５には、歌手名アイコンＦｓｘ、選択された歌手名「ＡＡＡ」、曲名アイコンＦｍｘ、選択された曲名「ＸＸＸ」、選択された曲のＩＤ「○○○−○○」、「戻る」のアイコンＢ６及び送信アイコンＴが表示される。この画面において、送信アイコンＴを選択した場合、表示制御部１００は、選択された曲のＩＤ「○○○−○○」をカラオケ装置（図示なし）に送信する。一方、歌手名アイコンＦｓｘを選択した場合（ハッチングで示す）、歌手名検索用の階層画面ｔ３に移動することができる。
【００５８】
ここで、階層画面ｔ３で「戻る」のアイコンＢ４を選択した場合、通常であればその上位階層に対応する階層画面ｔ２に切り替わる。
【００５９】
一方、たとえば、階層画面ｔ５における歌手名アイコンＦｓｘを選択して階層画面ｔ３に移動した後、階層画面ｔ３で「戻る」のアイコンＢ４を選択した場合、その前に表示されていた階層画面ｔ５に戻ることが望ましい。
【００６０】
そこで、表示制御部１００は、階層画面の切り替え履歴を記憶する。表示制御部１００は、記憶した切り替え履歴に基づいて、現在表示されている第１の画面からその前に表示されていた第２の画面への切り替えを行う。たとえば図５に示すように、画面の切り替えを「階層画面ｔ１→階層画面ｔ２→階層画面ｔ３（１回目）→階層画面ｔ４→階層画面ｔ５→階層画面ｔ３（２回目）」の順で行った場合、表示制御部１００は、この切り替え履歴を記憶する。そして、現在表示されている階層画面ｔ３（２回目）で「戻る」のアイコンＢ４が選択された場合、表示制御部１００は、切り替え履歴を参照し、現在表示されている階層画面ｔ３（第１の画面）からその前に表示されていた階層画面ｔ５（第２の画面）への切り替えを行う。
【００６１】
また、この際、表示制御部１００は、第１の画面に対し、切り替え後の第２の画面が下位階層画面に相当する場合には、背景画像データに基づいて、上位階層画面を構成する背景画像の一部を拡大した画像を生成し、下位アイコン画像の背景画像として表示させる。一方、表示制御部１００は、切り替え後の第２の画面が上位階層画面に相当する場合には、背景画像データに基づいて、下位階層画面を構成する背景画像を縮小した画像を含む画像を生成し、上位アイコン画像の背景画像として表示させる。
【００６２】
上記例によれば、階層画面ｔ３（第１の画面）に対し、切り替え後の階層画面ｔ５（第２の画面）は下位階層画面に相当する。従って、表示制御部１００は、背景画像データに基づいて、階層画面ｔ３の背景画像の一部を拡大した画像を生成し、階層画面ｔ５の背景画像として表示させる。このように、背景画像の生成は実施形態または変形例１と同様の手法を用いることができる。
【００６３】
なお、この例のように階層の順に沿わずに階層画面を切り替える場合、背景画像の拡大・縮小は切り替わった階層に応じて行われる。たとえば、階層画面ｔ３から階層画面ｔ５へ切り替える場合、階層画面の切り替えは１回であるが、階層自体は２段階変わっていることになる。この場合、表示制御部１００は、背景画像データに基づき、階層画面ｔ３の背景画像を２段階拡大した画像を生成し、階層画面ｔ５の背景画像として表示させる。
【００６４】
以上の通り、階層の順に関係なく切り替え履歴に応じて階層画面を切り替える場合であっても、階層毎に個別の背景画像データを用意する必要がなく、且つ現在表示されている画面の階層を直感的に把握できる。
【００６５】
上記実施形態は、例として提示したものであり、発明の範囲を限定するものではない。また、上記の構成は、適宜組み合わせて実施することが可能であり、発明の要旨を逸脱しない範囲で、種々の省略、置き換え、変更を行うことができる。それらの実施形態やその変形は、発明の範囲や要旨に含まれると同様に、特許請求の範囲に記載された発明とその均等の範囲に含まれる。
【符号の説明】
【００６６】
１  情報処理装置
１０  制御部
１１  記憶部
１２  操作部
１３  表示部
１４  通信部
１００  表示制御部
【図１】
2016031695.tif 000003
【図２Ａ】
2016031695.tif 000004
【図２Ｂ】
2016031695.tif 000005
【図２Ｃ】
2016031695.tif 000006
【図３】
2016031695.tif 000007
【図４】
2016031695.tif 000008
【図５】
2016031695.tif 000009